【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
無線ネットワークにおける通信リンク上でクライアントの共有資源の使用を提供するための方法であって、前記方法は、
前記無線ネットワーク上で通信のために前記クライアントと第１のホストとの間でパッシブ・アソシエーションを確立することと、ここで、前記パッシブ・アソシエーションは、前記第１のホストによる前記共有資源の使用を可能にせず、ここにおいて、パッシブ・アソシエーションは、クライアントとホストとの間での１対１の通信のために確立される通信リンクであり、前記共有資源は、前記クライアントのところに存在する資源、または前記クライアントを通じて利用可能な資源である、
前記クライアントにおいて、前記第１のホストによる前記共有資源の排他的な使用を可能にするアクティブ・アソシエーションを確立するための前記第１のホストからのリクエストを受信することと、ここで、前記受信するステップは、前記無線ネットワーク上で実行され、ここにおいて、アクティブ・アソシエーションは、クライアントとホストとの間での１対１の通信のために確立される通信リンクである、
前記第１のホストからの前記リクエストに応答して、前記クライアントにおいて、第２のホストによる前記共有資源の排他的な使用を可能にするアクティブ・アソシエーションが存在するかどうかを判定することと、
前記第２のホストによる前記共有資源の排他的な使用を可能にするアクティブ・アソシエーションが存在するかどうかを前記判定するステップが、前記第２のホストとのアクティブ・アソシエーションが存在しないという判定をもたらす場合、前記第１のホストとの前記アクティブ・アソシエーションを確立し、前記共有資源の前記第１のホストの排他的な使用を可能にすることと、
前記第２のホストによる前記共有資源の排他的な使用を可能にするアクティブ・アソシエーションが存在するかどうかを前記判定するステップが、前記第２のホストとのアクティブ・アソシエーションが存在するという判定をもたらす場合、前記第２のホストによる前記共有資源の排他的な使用を可能にする前記アクティブ・アソシエーションのカテゴリーを判定することと、
前記アクティブ・アソシエーションの前記判定されたカテゴリーに基づいて、前記第１のホストとの前記アクティブ・アソシエーションを確立するかどうかを判定することと
を含む方法。
【請求項２】
前記無線ネットワークは、無線ローカルエリアネットワーク（ＷＬＡＮ）である、請求項１の方法。
【請求項３】
前記クライアントと前記第１のホストとが互いに無線ネットワーク通信距離の範囲内にあるときを検出するステップを更に含み、前記検出するステップは、前記パッシブ・アソシエーションを前記確立するステップの前に実行される、請求項１の方法。
【請求項４】
前記クライアントと前記第１のホストとが互いに無線ネットワーク通信距離の範囲内にあるときを検出するステップを更に含み、前記パッシブ・アソシエーションを前記確立するステップは、前記検出するステップに応答して自動的に実行される、請求項１の方法。
【請求項５】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがソリッド・カテゴリーに属している場合、（１）前記第１のホストからの前記リクエストを拒否するメッセージを前記無線ネットワーク上で前記第１のホストに送信し、（２）前記リクエストを拒否する前記メッセージを前記第１のホストに前記送信するステップの後に、前記無線ネットワーク上での前記第２のホストの前記共有資源の排他的な使用を可能にすること
を含む、請求項１の方法。
【請求項６】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがセミソリッド・カテゴリーに属している場合、
メッセージを前記第２のホストに送信することと、ここで、前記メッセージは、前記第２のホストによる前記共有資源の排他的な使用を可能にする前記アクティブ・アソシエーションのリリースを認可するための問い合わせを含む、
前記第２のホストが前記第２のホストによる前記共有資源の排他的な使用を可能にする前記アクティブ・アソシエーションのリリースを認可したかどうかを判定することと、
前記第２のホストがリリースを認可したかどうかを前記判定するステップが、前記第２のホストが前記第２のホストによる前記共有資源の排他的な使用を可能にする前記アクティブ・アソシエーションのリリースを認可したという判定をもたらす場合、前記第２のホストによる前記共有資源の排他的な使用を可能にする前記アクティブ・アソシエーションをリリースし、前記無線ネットワーク上で前記第１のホストとの前記アクティブ・アソシエーションを確立し、前記無線ネットワーク上での前記第１のホストの前記共有資源の排他的な使用を可能にすることと、
前記第２のホストがリリースを認可したかどうかを前記判定するステップが、前記第２のホストが前記第２のホストによる前記共有資源の排他的な使用を可能にする前記アクティブ・アソシエーションのリリースの認可を拒否したという判定をもたらす場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと
を含む、請求項１の方法。
【請求項７】
前記第１のホストからの前記リクエストは、紹介情報を含み、前記問い合わせは、前記紹介情報の少なくとも一部を含む、請求項６の方法。
【請求項８】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがセミソリッド・カテゴリーに属している場合、
メッセージを前記第２のホストに送信することと、ここで、前記メッセージは、前記第２のホストによる前記共有資源の排他的な使用を可能にする前記アクティブ・アソシエーションのリリースを認可するための問い合わせを含む、
前記第２のホストが前記第２のホストによる前記共有資源の排他的な使用を可能にする前記アクティブ・アソシエーションのリリースを認可したかどうかを判定することと、
前記第２のホストがリリースを認可したかどうかを前記判定するステップが、前記第２のホストが前記第２のホストによる前記共有資源の排他的な使用を可能にする前記アクティブ・アソシエーションのリリースを認可したという判定をもたらす場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすることと、
前記第２のホストがリリースを認可したかどうかを前記判定するステップが、予め定められたタイムアウト・ピリオド内に、前記第２のホストが前記第２のホストによる前記共有資源の排他的な使用を可能にする前記アクティブ・アソシエーションのリリースを認可したという判定をもたらさない場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと
を含む、請求項１の方法。
【請求項９】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがフラジャイル・カテゴリーに属している場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすること、ここで、前記リリースするステップは、前記クライアントが前記第２のホストに、リリースするための認可を要求することなく実行される、
を含む、請求項１の方法。
【請求項１０】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがフラジャイル・カテゴリーに属している場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすることと、
前記第２のホストによる前記共有資源の排他的な使用を可能にする前記アクティブ・アソシエーションがソリッド・カテゴリーに属している場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと、
前記第２のホストによる前記共有資源の排他的な使用を可能にする前記アクティブ・アソシエーションがセミソリッド・カテゴリーに属している場合、
前記第２のホストによる前記共有資源の排他的な使用を可能にする前記アクティブ・アソシエーションのリリースを認可するための問い合わせを含むメッセージを、前記第２のホストに送信することと、
前記第２のホストが前記第２のホストによる前記共有資源の排他的な使用を可能にする前記アクティブ・アソシエーションのリリースを認可したかどうかを判定することと、
前記第２のホストがリリースを認可したかどうかを前記判定するステップが、前記第２のホストが前記第２のホストによる前記共有資源の排他的な使用を可能にする前記アクティブ・アソシエーションのリリースを認可したという判定をもたらす場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすることと、
前記第２のホストがリリースを認可したかどうかを前記判定するステップが、前記第２のホストが前記第２のホストによる前記共有資源の排他的な使用を可能にする前記アクティブ・アソシエーションのリリースの認可を拒否したという判定をもたらす場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと
を含む、請求項１の方法。
【請求項１１】
前記共有資源は、ビデオディスプレイを含む、請求項１の方法。
【請求項１２】
前記共有資源は、ゲーム端末を含み、前記第１のホストは、前記ゲーム端末のためのゲーム・コントローラとして構成される、請求項１の方法。
【請求項１３】
前記共有資源は、ソフトウェアを伴う計算資源を含む、請求項１の方法。
【請求項１４】
前記共有資源は、他のネットワークに対するゲートウェイを含む、請求項１の方法。
【請求項１５】
前記共有資源は、他の無線ネットワークに対するゲートウェイを含む、請求項１の方法。
【請求項１６】
前記共有資源は、音声再生装置を含む、請求項１の方法。
【請求項１７】
前記第１のホストは、携帯情報端末を含む、請求項１の方法。
【請求項１８】
前記第１のホストは、携帯電話を含む、請求項１の方法。
【請求項１９】
前記共有資源は、ゲーム端末を含み、前記第１のホストは、前記ゲーム端末のための第１のゲーム・コントローラとして構成され、前記第２のホストは、前記ゲーム端末のための第２のゲーム・コントローラとして構成される、請求項１の方法。
【請求項２０】
前記無線ネットワークは、無線パーソナル・エリア・ネットワーク（ＷＰＡＮ）である、請求項１の方法。
【請求項２１】
無線ネットワークにおける通信リンク上で共有資源の使用を提供するためのクライアント・デバイスであって、
共有資源と、
メモリと、
無線ネットワークの受信機と、
前記無線ネットワークの送信機と、
前記受信機と、前記送信機と、前記共有資源と、前記メモリとに接続されたコントローラであって、
前記無線ネットワーク上で通信のために前記クライアント・デバイスと第１のホストとの間でパッシブ・アソシエーションを確立し、ここで、前記パッシブ・アソシエーションは、前記第１のホストによる前記共有資源の使用を可能にせず、ここにおいて、パッシブ・アソシエーションは、クライアントとホストとの間での１対１の通信のために確立される通信リンクであり、前記共有資源は、前記クライアント・デバイスのところに存在する資源、または前記クライアント・デバイスを通じて利用可能な資源であり、
前記第１のホストによる前記共有資源の排他的な使用を可能にするアクティブ・アソシエーションを確立するための前記第１のホストからのリクエストを、前記無線ネットワーク上で受信し、ここにおいて、アクティブ・アソシエーションは、クライアントとホストとの間での１対１の通信のために確立される通信リンクであり、
前記第１のホストからの前記リクエストに応答して、第２のホストによる前記共有資源の排他的な使用を可能にするアクティブ・アソシエーションが存在するかどうかを判定し、
前記第２のホストによる前記共有資源の排他的な使用を可能にする前記アクティブ・アソシエーションが存在しない場合、前記第１のホストとの前記アクティブ・アソシエーションを確立し、前記共有資源の前記第１のホストの排他的な使用を可能にし、
前記第２のホストによる前記共有資源の排他的な使用を可能にする前記アクティブ・アソシエーションが存在する場合、前記第２のホストによる前記共有資源の排他的な使用を可能にする前記アクティブ・アソシエーションのカテゴリーを判定し、
前記アクティブ・アソシエーションの前記判定されたカテゴリーに基づいて、前記第１のホストとの前記アクティブ・アソシエーションを確立するかどうかを判定する
ように構成されたコントローラと
を含むクライアント・デバイス。
【請求項２２】
前記無線ネットワークは、無線ローカルエリアネットワーク（ＷＬＡＮ）である、請求項２１のクライアント・デバイス。
【請求項２３】
前記コントローラは、前記パッシブ・アソシエーションを確立する前に、前記クライアント・デバイスと前記第１のホストとが互いに無線ネットワーク通信距離の範囲内にあるときを検出するように更に構成される、請求項２１のクライアント・デバイス。
【請求項２４】
前記コントローラは、前記クライアント・デバイスと前記第１のホストとが互いに無線ネットワーク通信距離の範囲内にあるときを検出し、前記クライアント・デバイスの前記無線ネットワーク通信距離の範囲内で前記第１のホストを検出することに応答して、前記パッシブ・アソシエーションを自動的に確立するようにさらに構成される、請求項２１のクライアント・デバイス。
【請求項２５】
前記第２のホストによる前記共有資源の排他的な使用を可能にする前記アクティブ・アソシエーションが存在する場合、前記コントローラは更に、
前記第２のホストによる前記共有資源の排他的な使用を可能にする前記アクティブ・アソシエーションがソリッド・カテゴリーに属している場合、（１）前記第１のホストからの前記リクエストを拒否するメッセージを前記無線ネットワーク上で前記第１のホストに送信し、（２）前記リクエストを拒否する前記メッセージを前記第１のホストに送信した後に、前記無線ネットワーク上での前記第２のホストの前記共有資源の排他的な使用を可能にする
ように構成される、請求項２１のクライアント・デバイス。
【請求項２６】
前記第２のホストによる前記共有資源の排他的な使用を可能にする前記アクティブ・アソシエーションが存在する場合、前記コントローラは更に、
前記第２のホストによる前記共有資源の排他的な使用を可能にする前記アクティブ・アソシエーションがセミソリッド・カテゴリーに属している場合、
前記第２のホストによる前記共有資源の排他的な使用を可能にする前記アクティブ・アソシエーションのリリースを認可するための問い合わせを含むメッセージを、前記第２のホストに送信し、
前記第２のホストが前記第２のホストによる前記共有資源の排他的な使用を可能にする前記アクティブ・アソシエーションのリリースを認可したかどうかを判定し、
前記第２のホストが前記第２のホストによる前記共有資源の排他的な使用を可能にする前記アクティブ・アソシエーションのリリースを認可した場合、前記第２のホストによる前記共有資源の排他的な使用を可能にする前記アクティブ・アソシエーションをリリースし、前記無線ネットワーク上で前記第１のホストとの前記アクティブ・アソシエーションを確立し、前記無線ネットワーク上での前記第１のホストの前記共有資源の排他的な使用を可能にし、
前記第２のホストが前記第２のホストによる前記共有資源の排他的な使用を可能にする前記アクティブ・アソシエーションのリリースの認可を拒否した場合、前記第１のホストからの前記リクエストを拒否するメッセージを前記無線ネットワーク上で前記第１のホストに送信し、前記リクエストを拒否する前記メッセージを前記第１のホストに送信した後に、前記無線ネットワーク上での前記第２のホストの前記共有資源の排他的な使用を可能にする
ように構成される、請求項２１のクライアント・デバイス。
【請求項２７】
前記第１のホストからの前記リクエストは、紹介情報を含み、前記コントローラは、前記問い合わせ中に前記紹介情報を含ませるように更に構成される、請求項２６のクライアント・デバイス。
【請求項２８】
前記第２のホストによる前記共有資源の排他的な使用を可能にする前記アクティブ・アソシエーションが存在する場合、前記コントローラは更に、
前記第２のホストによる前記共有資源の排他的な使用を可能にする前記アクティブ・アソシエーションがセミソリッド・カテゴリーに属している場合、
前記第２のホストによる前記共有資源の排他的な使用を可能にする前記アクティブ・アソシエーションのリリースを認可するための問い合わせを含むメッセージを、前記第２のホストに送信し、
前記第２のホストが前記第２のホストによる前記共有資源の排他的な使用を可能にする前記アクティブ・アソシエーションのリリースを認可したかどうかを判定し、
前記第２のホストが前記第２のホストによる前記共有資源の排他的な使用を可能にする前記アクティブ・アソシエーションのリリースを認可した場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にし、
予め定められたタイム・ピリオド内に、前記第２のホストが前記第２のホストによる前記共有資源の排他的な使用を可能にする前記アクティブ・アソシエーションのリリースを認可しない場合、前記第１のホストからの前記リクエストを拒否するメッセージを前記無線ネットワーク上で前記第１のホストに送信し、前記リクエストを拒否する前記メッセージを前記第１のホストに送信した後に、前記無線ネットワーク上での前記第２のホストの前記共有資源の排他的な使用を可能にする
ように構成される、請求項２１のクライアント・デバイス。
【請求項２９】
前記第２のホストによる前記共有資源の排他的な使用を可能にする前記アクティブ・アソシエーションが存在する場合、前記コントローラは更に、
前記第２のホストによる前記共有資源の排他的な使用を可能にする前記アクティブ・アソシエーションがフラジャイル・カテゴリーに属している場合、リリースするための認可を前記第２のホストに要求することなく、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にする
ように構成される、請求項２１のクライアント・デバイス。
【請求項３０】
前記第２のホストによる前記共有資源の排他的な使用を可能にする前記アクティブ・アソシエーションが存在する場合、前記コントローラは更に、
前記第２のホストによる前記共有資源の排他的な使用を可能にする前記アクティブ・アソシエーションがフラジャイル・カテゴリーに属している場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にし、
前記第２のホストによる前記共有資源の排他的な使用を可能にする前記アクティブ・アソシエーションがソリッド・カテゴリーに属している場合、前記第１のホストからの前記リクエストを拒否するメッセージを前記無線ネットワーク上で前記第１のホストに送信し、前記リクエストを拒否する前記メッセージを前記第１のホストに送信した後に、前記無線ネットワーク上での前記第２のホストの前記共有資源の排他的な使用を可能にし、
前記第２のホストによる前記共有資源の排他的な使用を可能にする前記アクティブ・アソシエーションがセミソリッド・カテゴリーに属している場合、
前記第２のホストによる前記共有資源の排他的な使用を可能にする前記アクティブ・アソシエーションのリリースを認可するための問い合わせを含むメッセージを、前記第２のホストに送信し、
前記第２のホストが前記第２のホストによる前記共有資源の排他的な使用を可能にする前記アクティブ・アソシエーションのリリースを認可したかどうかを判定し、
前記第２のホストが前記第２のホストによる前記共有資源の排他的な使用を可能にする前記アクティブ・アソシエーションのリリースを認可した場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にし、
前記第２のホストが前記第２のホストによる前記共有資源の排他的な使用を可能にする前記アクティブ・アソシエーションのリリースの認可を拒否した場合、前記第１のホストからの前記リクエストを拒否するメッセージを前記無線ネットワーク上で前記第１のホストに送信し、前記リクエストを拒否する前記メッセージを前記第１のホストに送信した後に、前記無線ネットワーク上での前記第２のホストの前記共有資源の排他的な使用を可能にする
ように構成される、請求項２１のクライアント・デバイス。
【請求項３１】
前記共有資源が、ビデオディスプレイを含む、請求項２１のクライアント・デバイス。
【請求項３２】
前記共有資源は、ゲーム端末を含む、請求項２１のクライアント・デバイス。
【請求項３３】
前記共有資源は、ソフトウェアを伴う計算資源を含む、請求項２１のクライアント・デバイス。
【請求項３４】
前記共有資源は、他のネットワークに対するゲートウェイを含む、請求項２１のクライアント・デバイス。
【請求項３５】
前記共有資源が、他の無線ネットワークに対するゲートウェイを含む、請求項２１のクライアント・デバイス。
【請求項３６】
前記共有資源は、音声再生装置を含む、請求項２１のクライアント・デバイス。
【請求項３７】
前記無線ネットワークは、無線パーソナル・エリア・ネットワーク（ＷＰＡＮ）である、請求項２１のクライアント・デバイス。
【請求項３８】
無線ネットワークにおける通信リンク上で共有資源の使用を提供するためのインストラクションを格納するコンピュータ読み取り可能な記憶媒体であって、前記インストラクションが、共有資源を含み且つ無線ネットワーク上で受信および送信するように構成されたクライアント・デバイスの少なくとも一つのプロセッサにより実行された場合、前記インストラクションは、前記クライアント・デバイスに、
前記無線ネットワーク上で通信のために前記クライアント・デバイスと第１のホストとの間でパッシブ・アソシエーションを確立することと、ここで、前記パッシブ・アソシエーションは、前記第１のホストによる前記共有資源の使用を可能にせず、ここにおいて、パッシブ・アソシエーションは、クライアントとホストとの間での１対１の通信のために確立される通信リンクであり、前記共有資源は、前記クライアント・デバイスのところに存在する資源、または前記クライアント・デバイスを通じて利用可能な資源である、
前記第１のホストによる前記共有資源の排他的な使用を可能にするアクティブ・アソシエーションを確立するための前記第１のホストからのリクエストを受信することと、ここで、前記受信するステップは、前記無線ネットワーク上で実行され、ここにおいて、アクティブ・アソシエーションは、クライアントとホストとの間での１対１の通信のために確立される通信リンクである、
前記第１のホストからの前記リクエストに応答して、第２のホストによる前記共有資源の排他的な使用を可能にするアクティブ・アソシエーションが存在するかどうかを判定することと、
前記第２のホストによる前記共有資源の排他的な使用を可能にするアクティブ・アソシエーションが存在するかどうかを前記判定するステップが、前記第２のホストとのアクティブ・アソシエーションが存在しないという判定をもたらす場合、前記第１のホストとの前記アクティブ・アソシエーションを確立し、前記共有資源の前記第１のホストの排他的な使用を可能にすることと、
前記第２のホストによる前記共有資源の排他的な使用を可能にするアクティブ・アソシエーションが存在するかどうかを前記判定するステップが、前記第２のホストとのアクティブ・アソシエーションが存在するという判定をもたらす場合、前記第２のホストによる前記共有資源の排他的な使用を可能にする前記アクティブ・アソシエーションのカテゴリーを判定することと、
前記アクティブ・アソシエーションの前記判定されたカテゴリーに基づいて、前記第１のホストとの前記アクティブ・アソシエーションを確立するかどうかを判定することと
を含むステップ群を実行させる、コンピュータ読み取り可能な記憶媒体。
【請求項３９】
前記クライアントと前記第１のホストとが互いに無線ネットワーク通信距離の範囲内にあるときを検出するステップを更に含み、検出することは、前記パッシブ・アソシエーションを前記確立するステップの前に実行される、請求項３８のコンピュータ読み取り可能な記憶媒体。
【請求項４０】
前記クライアントと前記第１のホストとが互いに無線ネットワーク通信距離の範囲内にあるときを検出するステップを更に含み、前記パッシブ・アソシエーションを確立することは、前記検出するステップに応答して自動的に実行される、請求項３８のコンピュータ読み取り可能な記憶媒体。
【請求項４１】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがソリッド・カテゴリーに属している場合、（１）前記第１のホストからの前記リクエストを拒否するメッセージを前記無線ネットワーク上で前記第１のホストに送信し、（２）前記リクエストを拒否する前記メッセージを前記第１のホストに前記送信するステップの後に、前記無線ネットワーク上での前記第２のホストの前記共有資源の排他的な使用を可能にすること
を含む、請求項３８のコンピュータ読み取り可能な記憶媒体。
【請求項４２】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがセミソリッド・カテゴリーに属している場合、
メッセージを前記第２のホストに送信することと、ここで、前記メッセージは、前記第２のホストによる前記共有資源の排他的な使用を可能にする前記アクティブ・アソシエーションのリリースを認可するための問い合わせを含む、
前記第２のホストが前記第２のホストによる前記共有資源の排他的な使用を可能にする前記アクティブ・アソシエーションのリリースを認可したかどうかを判定することと、
前記第２のホストがリリースを認可したかどうかを前記判定するステップが、前記第２のホストが前記第２のホストによる前記共有資源の排他的な使用を可能にする前記アクティブ・アソシエーションのリリースを認可したという判定をもたらす場合、前記第２のホストによる前記共有資源の排他的な使用を可能にする前記アクティブ・アソシエーションをリリースし、前記無線ネットワーク上で前記第１のホストとの前記アクティブ・アソシエーションを確立し、前記無線ネットワーク上での前記第１のホストの前記共有資源の排他的な使用を可能にすることと、
前記第２のホストがリリースを認可したかどうかを前記判定するステップが、前記第２のホストが前記第２のホストによる前記共有資源の排他的な使用を可能にする前記アクティブ・アソシエーションのリリースの認可を拒否したという判定をもたらす場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと
を含む、請求項３８のコンピュータ読み取り可能な記憶媒体。
【請求項４３】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがセミソリッド・カテゴリーに属している場合、
メッセージを前記第２のホストに送信することと、ここで、前記メッセージは、前記第２のホストによる前記共有資源の排他的な使用を可能にする前記アクティブ・アソシエーションのリリースを認可するための問い合わせを含む、
前記第２のホストが前記第２のホストによる前記共有資源の排他的な使用を可能にする前記アクティブ・アソシエーションのリリースを認可したかどうかを判定することと、
前記第２のホストがリリースを認可したかどうかを前記判定するステップが、前記第２のホストが前記第２のホストによる前記共有資源の排他的な使用を可能にする前記アクティブ・アソシエーションのリリースを認可したという判定をもたらす場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすることと、
前記第２のホストがリリースを認可したかどうかを前記判定するステップが、予め定められたタイムアウト・ピリオド内に、前記第２のホストが前記第２のホストによる前記共有資源の排他的な使用を可能にする前記アクティブ・アソシエーションのリリースを認可したという判定をもたらさない場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと
を含む、請求項３８のコンピュータ読み取り可能な記憶媒体。
【請求項４４】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがフラジャイル・カテゴリーに属している場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすること、ここで、前記リリースするステップは、前記クライアントがリリースするための認可を前記第２のホストに要求することなく実行される、
を含む、請求項３８のコンピュータ読み取り可能な記憶媒体。
【請求項４５】
前記アクティブ・アソシエーションの前記判定されたカテゴリーに基づいて、前記第１のホストとの前記アクティブ・アソシエーションを確立するかどうかを判定することは、
前記第２のホストによる前記共有資源の排他的な使用を可能にする前記アクティブ・アソシエーションがフラジャイル・カテゴリーに属している場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすることと、
前記第２のホストによる前記共有資源の排他的な使用を可能にする前記アクティブ・アソシエーションがソリッド・カテゴリーに属している場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと、
前記第２のホストによる前記共有資源の排他的な使用を可能にする前記アクティブ・アソシエーションがセミソリッド・カテゴリーに属している場合、
前記第２のホストによる前記共有資源の排他的な使用を可能にする前記アクティブ・アソシエーションのリリースを認可するための問い合わせを含むメッセージを、前記第２のホストに送信することと、
前記第２のホストが前記第２のホストによる前記共有資源の排他的な使用を可能にする前記アクティブ・アソシエーションのリリースを認可したかどうかを判定することと、
前記第２のホストがリリースを認可したかどうかを前記判定するステップが、前記第２のホストが前記第２のホストによる前記共有資源の排他的な使用を可能にする前記アクティブ・アソシエーションのリリースを認可したという判定をもたらす場合、前記第２のホストによる前記共有資源の排他的な使用を可能にする前記アクティブ・アソシエーションをリリースし、前記第１のホストとの前記アクティブ・アソシエーションを確立し、前記無線ネットワーク上での前記第１のホストの前記共有資源の排他的な使用を可能にすることと、
前記第２のホストがリリースを認可したかどうかを前記判定するステップが、前記第２のホストが前記第２のホストによる前記共有資源の排他的な使用を可能にする前記アクティブ・アソシエーションのリリースの認可を拒否したという判定をもたらす場合、前記第１のホストからの前記リクエストを拒否するメッセージを前記無線ネットワーク上で前記第１のホストに送信し、前記リクエストを拒否する前記メッセージを前記第１のホストに前記送信するステップの後に、前記無線ネットワーク上での前記第２のホストの前記共有資源の排他的な使用を可能にすることと
を含む、請求項３８のコンピュータ読み取り可能な記憶媒体。
【請求項４６】
無線ネットワークにおける通信リンク上で共有資源の使用を提供するためのクライアント・デバイスであって、
共有資源手段と、
データを格納するための手段と、
無線ネットワーク上で情報を受信するための手段と、
前記無線ネットワーク上で情報を送信するための手段と、
前記共有資源手段と、前記データを格納するための手段と、前記情報を受信するための手段と、前記情報を送信するための手段とを制御するためのコントローラ手段であって、
前記無線ネットワーク上で通信のために前記クライアント・デバイスと第１のホストとの間でパッシブ・アソシエーションを確立し、ここで、前記パッシブ・アソシエーションは、前記第１のホストによる前記共有資源手段の使用を可能にせず、ここにおいて、パッシブ・アソシエーションは、クライアントとホストとの間での１対１の通信のために確立される通信リンクであり、前記共有資源は、前記クライアント・デバイスのところに存在する資源、または前記クライアント・デバイスを通じて利用可能な資源である、
前記第１のホストによる前記共有資源手段の排他的な使用を可能にするアクティブ・アソシエーションを確立するための前記第１のホストからのリクエストを、前記無線ネットワーク上で受信し、ここにおいて、アクティブ・アソシエーションは、クライアントとホストとの間での１対１の通信のために確立される通信リンクであり、
前記第１のホストからの前記リクエストに応答して、第２のホストによる前記共有資源手段の排他的な使用を可能にするアクティブ・アソシエーションが存在するかどうかを判定し、
前記第２のホストによる前記共有資源手段の排他的な使用を可能にする前記アクティブ・アソシエーションが存在しない場合、前記第１のホストとの前記アクティブ・アソシエーションを確立し、前記共有資源手段の前記第１のホストの排他的な使用を可能にし、
前記第２のホストによる前記共有資源の排他的な使用を可能にする前記アクティブ・アソシエーションが存在する場合、前記第２のホストによる前記共有資源の排他的な使用を可能にする前記アクティブ・アソシエーションのカテゴリーを判定し、
前記アクティブ・アソシエーションの前記判定されたカテゴリーに基づいて、前記第１のホストとの前記アクティブ・アソシエーションを確立するかどうかを判定する
ように構成されたコントローラ手段と
を含むクライアント・デバイス。